(57)【要約】  【課題】  部品点数削減とプッシュオン操作での嵌合・離脱の着脱操作の容易化と共にコネクタ部材間の良好な接触結合を保ち高周波特性の安定化が図れる同軸コネクタを提供する。  【解決手段】  一端にレセプタクル１１を設けた外部導体１２、この外部導体内に配置の絶縁材１４に固着した中心導体１６およびレセプタクル１１の内周面に沿って配置された板状ばね１８とから成るプラグ用コネクタ部材１０と、一端に中空部２１を形成した外部導体２２、この外部導体内に配置の絶縁材２４に固着した中心導体２６および外部導体中空部２１に配置した筒状弾性体２８とから成るジャック用コネクタ部材２０の２点部品により構成された同軸コネクタである。【選択図】図１
2005216729.tif 000002
【特許請求の範囲】
【請求項１】
外部導体と中心導体とそれぞれに備えるプラグコネクタ部材およびジャックコネクタ部材からなり、前記両部材の外部導体はそれぞれにばね手段を装着し、前記両部材の嵌着により前記両ばね手段が弾接合体して機械的電気的に結合することを特徴とする同軸コネクタ。
【請求項２】
前記両ばね手段は一方が第１外部導体の筒状部内面に沿って装着した板状ばねであり、他方が第２外部導体の先端側に切り込みを形成した筒状弾性体であることを特徴とする請求項１に記載の同軸コネクタ。
【請求項３】
一端側中空部にレセプタクルを設けた外部導体およびその他端側中空部の絶縁材で固定された中心導体からなる第1のコネクタ部材と、一端側中空部に筒状弾性体を設けた外部導体およびその他端側中空部の絶縁材で固定された中心導体からなる第2のコネクタ部材とを具備し、前記レセプタクルに前記筒状弾性体を嵌合して機械的電気的に結合する同軸コネクタにおいて、前記レセプタクルにばね手段を配置し、このばね手段と前記筒状弾性体とを弾接接触させることを特徴とする同軸コネクタ。
【請求項４】
前記第１のコネクタ部材がその外部導体レセプタクルの中央に中心導体のプラグコンタクトを配置したプラグコネクタであり、前記第２のコネクタ部材がその外部導体の先端隆起部を切り込んだ筒状弾性体の内部中央に中心導体のジャックコンタクトを配置したジャックコネクタであり、前記両コネクタの嵌合により弾接接触させて前記筒状弾性体を前記レセプタクルの内周面側に配置した前記ばね手段と電気機械的に結合することを特徴とする請求項３に記載の同軸コネクタ。
【請求項５】
前記第１および第２のコネクタ部材はそれぞれの他端側に高周波装置用ベース筐体への取付手段を備え、前記第１および第２のコネクタ部材を別個のベース筐体に装着した後、ワンタッチプッシュオン操作により前記第１および第2コネクタ部材を結合することを特徴とする請求項３または４に記載の同軸コネクタ。
【請求項６】
前記ベース筐体は前記取付手段を受容する複数個の取付口を備え、前記第１および第２のコネクタ部材を別個の筐体取付口に装着して複数個のコネクタ部材を一括して結合することを特徴とする請求項５に記載の同軸コネクタ。
【発明の詳細な説明】
【技術分野】
【０００１】
本発明は、部品点数の削減と結合インピーダンスの安定化を図る結合容易な同軸コネクタ、特に、高周波信号伝送機器のベース筐体間の接続に好適し、ワンタッチ・プッシュオンロック式で嵌合操作が簡単・確実である同軸コネクタに関する。
【背景技術】
【０００２】
マイクロ波等の高周波信号用通信装置の機器内配線ブロックやユニット間の接続に使用する同軸コネクタは、着脱操作が容易であることと同時に、高い伝送特性を確保することが要求される。通常、同軸構成する外部導体と中心導体とをプラグとジャックのコネクタ部品を用いて組み立てられる。コネクタ部品の結合方法は、スライドロック方式や捩じ込み方式などがあり、高周波特性、取付構造および嵌着離脱の操作性や構造の簡素化を狙いとしての種々の提案がある。例えば、嵌合操作が簡単かつ確実であると共に嵌合インターフェース部でのインピーダンス不連続の少ない同軸コネクタ組立体が特許文献１に開示される。また、スプリングを利用した接続補強構造として、ねじの緩みを簡単な構成で防止することが特許文献２に開示される。特許文献３では軽い操作力によって嵌合離脱が可能でロック用ばね手段の損傷防止可能なスライドロック式が開示され、特許文献４は特性劣化防止のためにスプリングを用いた同軸プラグが、更に特許文献５ではプラグが緩んだ状態になっても挿入損失や反射損失特性の劣化を防止することが提案されている。特に、特許文献３ではカップリング部材を利用する場合のスライドロック式同軸コネクタを開示する。
【特許文献１】特開平０６−０７６８９０号公報
【特許文献２】特開平０７−２４０２５８号公報
【特許文献３】特開２０００−０４０５６１号公報
【特許文献４】特開２００１−１６０４６５号公報
【特許文献５】特開２００２−０１５８２３号公報
【０００３】
ところで、高周波信号用機器間や機器内配線ブロックやユニット間の接続の場合、ワンタッチ操作で着脱可能なスライド式プッシュオンタイプの同軸コネクタ組立体も知られている。例えば、異なる高周波機器用筐体に捩じ込み等で取付けたプラグ部品間をカップリングの介在で結合する同軸コネクタ組立体がある。この場合のコネクタ組立体は、図３に示されるようにプラグ、ジャック−ジャックおよびプラグの３点部品を用いて構成される。すなわち、図３において、外部導体１ａとこの外部導体の中空部に絶縁物２ａを介して中央に配置した中心導体３ａとからなる一対の同軸プラグ４、および同軸プラグ４の外部導体１ａのレセプタクル５に嵌め込める差込み部分６を両端に設けた円筒状外部導体１ｂとこの円筒状外部導体中空部の中央に絶縁物２ｂを介して配置した両側にジャック７を有する中心導体３ｂとからカップリング８により同軸コネクタ組立体を構成する。換言すると、ジャック−ジャックのカップリング８を介在して一対の同軸プラグ４、４間を結合する同軸コネクタ組立体を構成する。図４はこの同軸コネクタ組立体の結合時の状態を示す。通常、一対のプラグ４、４は外部導体が高周波機器の筐体に捩じ込み装着されており、各レセプタクルにカップリン８の差込み部分を嵌合して同軸コネクタ組立体となる。
【発明の開示】
【発明が解決しようとする課題】
【０００４】
上述のカップリン８を介して一対の同軸プラグ４を結合する同軸コネクタ組立体はプッシュオン方式として着脱操作に関しては満足されるが使用部品点数が３点であることからコスト面で不利となる欠点があり、加えて、カップリング８と同軸プラグ４の外部導体１ａ、１ｂ間の結合に関して結合上の不具合が生じ易く、高周波信号の伝送特性、特に結合インピーダンスの変動や損失特性面での劣化を招くことがあった。また、第３の部品としてカップリング８を使用することから同軸コネクタ組立体の全長が大きくなり易く結合する筐体間に無駄な空間を生じスペースファクタを悪くした。特に、嵌め合わせでの外部導体１ａ、１ｂ間の結合不良は伝送特性の劣化のみならず致命的欠陥である結合時の離脱発生の原因ともなるので絶対に避けなければならない。一方、特許文献１ないし５に開示される同軸コネクタも一長一短でいずれも構造的に複雑でありかつコスト面での問題があった。
【０００５】
従って、本発明は上述する欠陥を解消して確実且つ安定した結合状態を維持しつつ使用部品点数を削減してコストダウンを図ることのできる新規かつ改良された同軸コネクタの提供を目的とすることにある。本発明の別の目的は、着脱の操作性が容易なワンタッチ・プッシュオン方式で取り付けスペースを小さくでき装置の小型化に有利となる実用的同軸コネクタの提供にある。
【課題を解決するための手段】
【０００６】
本発明によれば、外部導体と中心導体をそれぞれが具備するプラグおよびジャック部材からなる同軸コネクタにおいて、前記外部導体はそれぞれにばね手段を装着し、前記プラグおよびジャック部材の嵌合により各ばね手段がそれぞれの内面と外面とが弾性接触で合体して機械的電気的に結合させることを特徴とする同軸コネクタが提供される。特に、各ばね手段は一方が第１外部導体の筒状部の内面に沿って装着した短冊状切り込みの板状ばねであり、他方が第２外部導体の先端隆起部に切り込みを形成した筒状弾性体であることを特徴とする同軸コネクタが開示される。詳述すると、第1外部導体の一端側中空部にレセプタクルを設けその中央に第１中心導体のプラグコンタクトを配置した第１のコネクタ部材と、第2外部導体の一端側に筒状弾性体を設けその内部中央に第２中心導体のジャックコンタクトを配置した第２の部材とから成り、これら第１および第２のコネクタ部材を嵌合着脱する同軸コネクタであって、第2外部導体のレセプタクル内周面に沿って板状ばねを配置すると共にレセプタクルへの差込み部として第２外部導体に筒状弾性体を設けて相互に弾接合体させ、プシュオン操作での嵌合時に機械的電気的結合を補強した同軸コネクタを提供する。
【発明の効果】
【０００７】
本発明の同軸コネクタは同軸状プラグ−プラグコネクタ部材と同軸状ジャック−プラグコネクタ部材の２点部品により構成されるから、従来の３点部品で構成の同軸コネクタに比べて使用部品点数が削減される組立体となってコストダウンが図られる。また、本発明の同軸コネクタは、一方のコネクタ部材のレセプタクル内周面にばね手段を装備するので他方のコネクタ部材の筒状弾性導体とのスプリング作用による結合がより強力となり両者間の安定した弾接的合体が達成され、高周波信号の伝送特性向上に有利となる。また、着脱操作の単純化と使用部品点数の削減に加えて、高周波信号装置のベース筐体間の取付空間を狭くでき高周波特性とスペースファクタの改善に役立ち、小型化にも有利な高周波機器を提供するなどの実用的効果を奏する。
【発明を実施するための最良の形態】
【０００８】
一端側にレセプタクルを形成した第１外部導体およびその中空部に絶縁材を介して固定された第1中心導体からなる第1のコネクタ部材と、一端側に筒状弾性体の差込み部を形成した第2外部導体およびその中空部に絶縁材を介して固定した第2中心導体からなる第2のコネクタ部材を具備し、筒状弾性体の差込み部をレセプタクルに嵌合して機械的電気的に結合する同軸コネクタにおいて、レセプタクルにばね手段を配置し、このばね手段と差込み部の筒状弾性体との弾接接触により機械的電気的に結合する同軸コネクタである。ここで、第１のコネクタ部材がその外部導体レセプタクルの中央に中心導体のプラグコンタクトを配置したプラグコネクタであり、第２のコネクタ部材がその外部導体先端隆起部に切り込みを入れた筒状弾性体を設けその内部中央には中心導体のジャックコンタクトを配置したジャックコネクタであって、プラグおよびジャックコネクタの嵌合時、レセプタクルの内周面沿ったばね手段に筒状弾性体の隆起部を弾接させ電気機械的結合を補強したことを特徴とする同軸コネクタを開示する。
【０００９】
すなわち、両コネクタ部材はばね手段を備えており、一方が第1外部導体の筒状レセプタクル内面に沿って装着した短冊状切り込みの板状ばね、他方が第2外部導体の筒状弾性体の先端隆起状ばねであることを特徴とする。また、本発明は第１および第２のコネクタ部材はそれぞれの他端側が高周波信号機器のブロック、ユニットまたは回路装置のベース筐体に結合可能な取付手段を備え、高周波信号機器用ベース筐体間をワンタッチのプッシュオン操作により容易にかつ取付間隔を短縮して結合する同軸コネクタである。たとえば、第１および第２のコネクタ部材はそれぞれの他端側が高周波装置のベース筐体に装着可能なねじを備えて予め別個のベース筐体に装着され、両者のベース筐体間に簡単かつ容易に装着されるプッシュオンタイプである。特に、ベース筐体は各コネクタ部材の他端側に設けた雄ねじを受容する複数個の取付口の雌ねじを備え、予めこの取付口に複数個のコネクタ部材を装着することで別個のベース筐体同士を同時に一括結合することのできる同軸コネクタを提供する。
【実施例】
【００１０】
以下、本発明に係る同軸コネクタの実施例について図面を参照しつつ詳述する。図１および図２は本発明の同軸コネクタにおける嵌合前および嵌合後の部分的断面図を示す。この同軸コネクタはプラグとしての第1のコネクタ部材１０およびジャックとしての第２のコネクタ部材２０により構成される。第1のコネクタ部材１０は一端に中空部のレセプタクル１１を設けた第1外部導体１２と、この外部導体１２の他端側に配置の絶縁材１４を貫通して固定配置した第1中心導体１６と、レセプタクル１１の内周面に沿って配置されたばね手段の板状ばね１８とから成る。ここで第1外部導体１２の他端側には取付用ねじ１４が設けられてベース筐体（図示せず）の取付口への装着に使用される。また、第1中心導体１６には一端側にプラグコンタクト１５がレセプタクル１１内で突出配置され、他端側には機器との接続ピン１７が設けられている。一方、第2のコネクタ部材２０は一端に中空部２１を形成した第2外部導体２２と、この外部導体の他端側に配置の絶縁材２４を貫通して固定配置した第２中心導体２６と、一端の外部導体中空部２１に固定配置したばね手段、すなわち差込み部の筒状弾性体２８とから成る。ここで筒状弾性体２８は先端に切り込みを有する隆起部２９があり、この差込み部の筒状弾性体２８の隆起部２９とレセプタクル１１のばね手段の板状ばね１８とのスプリング弾圧接触により確実な機械的電気的結合が図られる。なお、第２中心導体２６には一端側にジャックコンタクト２５が筒状弾性体２８内に突出配置され、他端側には機器との接続ピン２７が設けられ、好ましくは、絶縁材２３と中心導体２６との摩擦的係留力を増大するような切り込みやノッチが形成される。更に、絶縁材第２外部導体２２の他端側には取付用ねじ２４が設けられてベース筐体（図示せず）の取付口への装着を容易にしている。
【００１１】
図２に示すように、各コネクタ部材１０、２０は、それぞれが別個のベース筐体の取付け口（図示せず）にねじ１４、２４を嵌め込んで取り付けられる。ここで第１のコネクタ部材１０と第２のコネクタ部材２０はプッシュオン操作で嵌合され板状ばね１８と筒状弾性体２８との両ばね手段で機械的電気的結合が達成され、高周波信号を効果的に伝送する同軸コネクタとして利用される。本発明の注目は同軸コネクタが第１および第２のコネクタ部材の２点部品で構成され、コスト面の優位性のみならず互いに結合するベース筐体間の取り付け空間を狭めてスペースファクターの改善を実現することである。具体的には従来の図４に示す同軸コネクタのベース筐体間距離が約１０ｍｍであったのに対し、図２に示す本発明の同軸コネクタは所要するベース筐体間距離は約５ｍｍと略半減することができた。
【産業上の利用可能性】
【００１２】
高周波や超高周波信号機器間の結合用コネクタとして、また高周波信号伝送特性を劣化させることなく高周波信号を処理するブロック、ユニットおよび回路装置間で着脱操作が必要な場合の接続用回路部品として利用される。
【図面の簡単な説明】
【００１３】
【図１】本発明に係る実施例の同軸コネクタを分離状態で示す部分断面図、
【図２】同じく図１の同軸コネクタの結合状態を示す部分断面図、
【図３】従来の同軸コネクタを分離状態で示す部分断面図、
【図４】同じく図３の同軸コネクタの結合状態を示す部分断面図である。
【符号の説明】
【００１４】
１０；第１のコネクタ部材、  ２０；第２のコネクタ部材
１１；レセプタクル、  ２１；中空部、  １２，２２；（第1、第2）外部導体、
１３，２３；絶縁材、  １４，２４；ねじ、
１５；プラグコンタクト、  ２５；ジャックコンタクト、
１６，２６；（第1、第2）中心導体、  １７，２７；接続ピン、
１８；筒状弾性体（ばね手段）、  ２８；板状ばね（ばね手段）、
２９；隆起部  
【図１】
2005216729.tif 000003
【図２】
2005216729.tif 000004
【図３】
2005216729.tif 000005
【図４】
2005216729.tif 000006